(57)【要約】【課題】架空光クロージャからドロップケーブルで加入者宅への光ファイバの配線作業を簡易化することのできる光ファイバ配線系あるいは／およびこの光ファイバ配線系に設けられて簡単構造とされたスプリッタボックスを提供する。【解決手段】内部に単一の空間部を有する光分岐接続箱と、この単一の空間部に配設され、入力側光ファイバ心線を出力側光フファイバ心線に分岐する光分岐部と、前記光分岐接続箱の内面または外面に固定されて外方に向けて接離可能とされ、この単一の空間部に配設されて一定配置の出力側光ファイバ心線に接続された出力側光コネクタと、前記光分岐接続箱の外面から外方に向けて接離可能とされ、この単一の空間部に配設されて一定配置の入力側光ファイバ心線に接続された入力側光コネクタまたは連結光ケーブルと、を有して構成される。【選択図】図１
2008129166.tif 000002
【特許請求の範囲】
【請求項１】
局から加入者宅までに設けられ、架空光ケーブルから分岐された光ファイバ心線をドロップケーブルに分岐し、加入者に配線するようにした光ファイバ配線系において、
内部に単一の空間部を有する光分岐接続箱と、この単一の空間部に配設され、入力側光ファイバ心線を出力側光ファイバ心線に分岐する光分岐部と、前記光分岐接続箱の内面または外面に固定されて外方に向けて接離可能とされ、この単一の空間部と配設されて一定配置の出力側光ファイバ心線に接続された出力側光コネクタと、前記光分岐接続箱の外面から外方に向けて接離可能とされ、この単一の空間部に配設されて一定配置の出力側光ファイバ心線に接続された出力側光コネクタと、前記光分岐接続箱の外面から外方に向けて接離可能とされ、この単一の空間部に配設されて一定配置の入力側光ファイバ心線に接続された入力側光コネクタまたは連結光ケーブルと、を有して構成されたスプリッタボックスを備え、前記ドロップケーブルは、両端固定の出力側光ファイバ心線を有して形成され、前記光ファイバ心線は、固定配置の前記入力側光コネクタに接続された入力側光ファイバ心線を有して形成されることを特徴とする光ファイバ配線系。
【請求項２】
請求項１において、前記光ファイバ心線には、局と前記スプリッタボックスとの間に架空クロージャが設けられ、該架空クロージャで分岐された連結光ケーブルは前記スプリッタボックスの外側から前記入力側光コネクタを介して前記入力側光ファイバ心線に接続されることを特徴とする光ファイバ配線系。
【請求項３】
局から加入者宅までに設けられ、架空光ケーブルから分岐された光ファイバ心線をドロップケーブルに分岐し、加入者宅に配線するようにした光ファイバ配線系に設けられるスプリッタボックスにおいて、
内部に単一の空間部を有する光分岐接続箱と、この単一の空間部に配設され、入力側光ファイバ心線を出力側光ファイバ心線に分岐する光分岐部と、前記光分岐接続箱の外面にから外方に向けて接続可能とされ、この単一の空間部に一定の配置で配設された前記出力側光ファイバ心線に接続された一方の出力側光コネクタ部と、前記光分岐接続箱の外面から外方に向けて接続可能とされ、この単一の空間部に、一定の配置で配設された前記入力側光ファイバ心線に接続された一方の入力側光コネクタ部と、前記光分岐接続箱の外側から前記一方の出力側光コネクタ部に接続される他方の出力光コネクタ部と、前記光分岐接続箱の外側から、前記一方の入力側光コネクタ部に接続される他方の入力側光コネクタ部とを備え、前記光分岐接続部の開閉を行うことなく、外側から前記他方の出力側光コネクタ部を前記一方の出力側光コネクタ部に、そして前記他方の入力側光コネクタ部を前記一方の入力側光コネクタ部に接続可能にしてそれぞれ出力側光コネクタおよび入力側光コネクタを形成することを特徴とするスプリッタボックス。
【請求項４】
局から加入者宅までに設けられ、架空光ケーブルから分岐された光ファイバ心線をドロップケーブルに分岐し、加入者宅に配線するようにした光ファイバ配線系に設けられるスプリッタボックスにおいて、
内部に単一の空間部を有する光分岐接続箱と、この単一の空間部に配設され、入力側光ファイバ心線を出力側光ファイバ心線に分岐する光分岐部と、前記光分岐接続箱の外面から外方に向けて接続可能とされ、この単一の空間部に、一定の配置で配設された前記出力側光ファイバ心線に接続された一方の出力側光コネクタ部と、前記光分岐接続箱の内面または外面に固定されて外方に向けて接続可能とされ、この単一の空間部に一定の長さ、一定の配置で配設された前記入力側光ファイバ心線に一体的に接続された連結光ケーブルと、前記光分岐接続箱の外側から前記一方の出力側光コネクタ部に接続される他方の出力光コネクタ部とを備え、前記光分岐接続部の開閉を行うことなく、外側から前記他方の出力側光コネクタ部を前記一方の出力側光コネクタ部に、そして前記連結光ケーブルによって前記光ファイバ心線と接離可能にしたことを特徴とするスプリッタボックス。
【請求項５】
請求項３または４において、前記一方の出力側光コネクタ部は、前記光分岐接続箱の底部に固定され、外方下方に向けて接離可能とされることを特徴とするスプリッタボックス。
【請求項６】
請求項３または４において、前記一方の入力側光コネクタ部は、前記光分岐接続箱の側部に固定され、外方側方に向けて接離可能とされることを特徴とするスプリッタボックス。
【請求項７】
請求項３または４において、前記光分岐接続箱は、上面部に、前記架空ケーブルを内包する方向に延びた窪みが形成され、内包された前記架空ケーブルを前記窪みに閉じ込める部材が設けられ、あるいは吊り金具が具備されて前記架空ケーブルに固定されるようにしたことを特徴とするスプリッタボックス。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）と一般に称されるＦＴＴＨ（Ｆｉｂｅｒ  Ｔｏ  Ｔｈｅ  Ｈｏｍｅ）向けの光ファイバ配線形態に関し、特に光ファイバ配線系およびこの光ファイバ配線系に用いるスプリッタボックスに関する。
【背景技術】
【０００２】
近年の光通信技術の進展とインターネットに代表される通信需要急増により。一般家庭を含めた加入者系への光ファイバケーブル（以後、光ケーブルと記す。）の導入が進められている。従来、局から加入者までの光線路は、局から配線される太束の幹線用光ケーブル、それから分岐し、電柱を利用して配線された架空光ケーブル、その架空光ケーブルの途中または端末に形成された架空光クロージャと呼ばれる筐体内部で分岐され加入者宅に配線されるドロップケーブル、という経路で構成されている。このドロップケーブルへの接続を引き落とし接続と称されている。
【０００３】
日本でのＰＯＮは、光スプリッタは局内と局外の２ヶ所に設置する形態が一般的である、局内に４分岐光スプリッタ、局外に８分岐の光スプリッタを置いて直列接続し、全体で３２分岐にする。局外だけの光スプリッタで３２分岐することも可能である。８分岐の光スプリッタでは、片側に光ファイバ心線が１心、反対側に光ファイバ心線が８心付いている。（これらの光ファイバ心線の端部に光コネクタを取り付けた光スプリッタもある。）
光スプリッタは、１心の光ファイバから伝わった信号光を８心の光ファイバに均等に出力し、逆に８心の光ファイバからの異なった信号光を１心の光ファイバに出力する働きをする。（局側からの信号光に着目して、以後は、１心側を入力側、８心側を出力側と呼ぶことにする。）
架空光クロージャ内に収容される光スプリッタの入力側光ファイバ心線は、架空光ケーブル内の光ファイバ心線に接続し、出力側をドロップケーブルに接続して、加入者宅に配線する。接続には、融着接続やメカニカルスプライス、あるいは現地付けコネクタが適用される。
【０００４】
日本国内では、幹線用光ケーブルには８心光ファイバテープを集合したタイプ、架空光ケーブルには、４心光ファイバテープを集合したタイプのものと光ファイバ単心線を集合したタイプが用いられている。光ファイバテープを集合した架空光ケーブルの場合、光スプリッタに接続する際に、光ファイバテープを単心線に変換することが必要である。そのため、光ファイバテープの端部を工具で直接単心に分離する方法が行われる。架空光クロージャ内への光スプリッタの収容は、光ファイバ心線の余長部に損傷を与えないように、専用のケースを用いて慎重に納める作業が必要になる。この作業は、架空で、風雨にさらされて実施することもあり、手間のかかる作業である。この従来の光スプリッタ収容方法については、たとえば下記の特許文献１において、詳しく述べられている。
【０００５】
特許文献２には、分岐接続用クロージャが記載され、特許文献３には、光ファイバ心線と分岐用光ファイバケーブルの光ファイバ心線との接続部分を収容する分岐接続箱が記載されている。特許文献４には光ファイバ分岐接続方法が記載されている。そして、特許文献５には、光ファイバを他の光ファイバに接続するために用いられる光ファイバの分岐接続装置であって、接続部に設置される光分岐接続箱と、光分岐接続箱に収納されて光ファイバに接続される接続用コードとを備えてなり、光分岐接続箱は余長収納部と分離心線とを備えて構成され、接続用コードは、余長収納部に収納されてその先端か光ファイバに接続可能な接続コネクタとして成端される余長部と、余長鵜から分岐し分離心線収納部に収納されてその先端が他の光ファイバから導出された心線に接続可能な光接続器として成端される分離心線とから構成されることを特徴とする光ファイバの分岐接続装置が記載されている。
【０００６】
【特許文献１】特開２００２−２２１６２３号公報
【特許文献２】特開２００２−１２２７４６号公報
【特許文献３】特開２００４−６１５４０号公報
【特許文献４】特開平１０−５４９２１号公報
【特許文献５】特開平１０−９０５２５号公報
【発明の開示】
【発明が解決しようとする課題】
【０００７】
既に収容されている光スプリッタからドロップケーブルを引き落とす場合であっても、架空クロージャを開けて、光スプリッタをケースから取り出すことが必要であり、作業に手間のかかる問題があった。最近、作業性改善のため、光スプリッタの光ファイバ心線端部に光コネクタを取り付け、架空光クロージャ内に成端することにより、ケースから光スプリッタから取り出す必要なく、光コネクタで簡単に接続しようとする技術が開発されている。しかしながら、それでも、架空クロージャの開封作業、ジャンパケーブル端部への現地付けコネクタの取付け作業が必要であり、作業性改善には限界があった。
【０００８】
以上述べたように、従来のドロップケーブルの配線では、作業に手間がかかる問題があった。これは、今後急増すると予想される光配線工事が滞ることを意味し、情報環境の整備上、大きな問題であった。
【０００９】
本発明は、かかる点に鑑み架空光クロージャからドロップケーブルで加入者宅への光ファイバの配線作業を簡易化することのできる光ファイバ配線系あるいは／およびこの光ファイバ配線系に設けられて、簡単構造とされたスプリッタボックスを提供することを目的とする。
【課題を解決するための手段】
【００１０】
この課題を解決するため、本発明では、局から加入者宅までの光ファイバ配線系において、光スプリッタ内蔵のスプリッタボックスを配線対象のエリア内の架空に設置し、架空光ケーブルから分岐した少心の光ファイバ心線である光ケーブルを、当該スプリッタボックスの入力側コネクタ端子に接続し、当該光スプリッタボックスの出力側コネクタ端子にはドロップケーブルを接続し、当該ドロップケーブルは加入者宅まで配線するようにしている。
【００１１】
本発明は、具体的には、局から加入者宅までに設けられ、架空光ケーブルから分岐された光ファイバ心線をドロップケーブルに分岐し、加入者に配線するようにした光ファイバ配線系において、
内部に単一の空間部を有する光分岐接続箱と、この単一の空間部に配設され、入力側光ファイバ心線を出力側光ファイバ心線に分岐する光分岐部と、前記光分岐接続箱の内面または外面に固定されて外方に向けて接離可能とされ、この単一の空間部と配設されて一定配置の出力側光ファイバ心線に接続された出力側光コネクタと、前記光分岐接続箱の外面にから外方に向けて接離可能とされ、この単一の空間部に配設されて一定配置の出力側光ファイバ心線に接続された出力側光コネクタと、前記光分岐接続箱の外面から外方に向けて接離可能とされ、この単一の空間部に配設されて一定配置の入力側光ファイバ心線に接続された入力側光コネクタまたは連結光ケーブルと、を有して構成されたスプリッタボックスを備え、前記ドロップケーブルは両端固定の出力側光ファイバ心線を有して形成され、前記光ファイバ心線は、固定配置の前記入力側光コネクタに接続された入力側光ファイバ心線を有して形成されることを特徴とする光ファイバ配線系を提供する。
【００１２】
上記光ファイバ配線系は、前記光ファイバ心線には、局と前記スプリッタボックスとの間に架空クロージャが設けられ、該架空クロージャで分岐された連結光ケーブルは前記スプリッタボックスの外側から前記入力側光コネクタを介して前記入力側光ファイバ心線に接続されることを特徴とする。
【００１３】
また、本発明は、局から加入者宅までに設けられ、架空光ケーブルから分岐された光ファイバ心線をドロップケーブルに分岐し、加入者宅に配線するようにした光ファイバ配線系に設けられるスプリッタボックスにおいて、
内部に単一の空間部を有する光分岐接続箱と、この単一の空間部に配設され、入力側光ファイバ心線を出力側光ファイバ心線に分岐する光分岐部と、前記光分岐接続箱外面から外方に向けて接続可能とされ、この単一の空間部に、一定の配置で配設された前記出力側光ファイバ心線に接続された一方の出力側光コネクタ部と、前記光分岐接続箱の外面から外方に向けて接続可能とされ、この単一の空間部に、一定の配置で配設された前記入力側光ファイバ心線に接続された一方の入力側光コネクタ部と、前記光分岐接続箱の外側から前記一方の出力側光コネクタ部に接続される他方の出力光コネクタ部と、前記光分岐接続箱の外側から、前記一方の入力側光コネクタ部に接続される他方の入力側光コネクタ部とを備え、前記光分岐接続部の開閉を行うことなく、外側から前記他方の出力側光コネクタ部を前記一方の出力側光コネクタ部に、そして前記他方の入力側光コネクタ部を前記一方の入力側光コネクタ部に接続可能にしてそれぞれ出力側光コネクタおよび入力側光コネクタを形成することを特徴とするスプリッタボックスを提供する。
【００１４】
また、本発明は、局から加入者宅までに設けられ、架空光ケーブルから分岐された光ファイバ心線をドロップケーブルに分岐し、加入者宅に配線するようにした光ファイバ配線系に設けられるスプリッタボックスにおいて、
内部に単一の空間部を有する光分岐接続箱と、この単一の空間部に配設され、入力側光ファイバ心線を出力側光ファイバ心線に分岐する光分岐部と、前記光分岐接続箱外面から外方に向けて接続可能とされ、この単一の空間部に、一定の配置で配設された前記出力側光ファイバ心線に接続された一方の出力側光コネクタ部と、前記光分岐接続箱の外面から外方に向けて接続可能とされ、この単一の空間部に、一定の配置で配設された前記入力側光ファイバ心線に一体的に接続された連結光ケーブルと、前記光分岐接続箱の外側から前記一方の出力側光コネクタ部に接続される他方の出力光コネクタ部とを備え、前記光分岐接続部の開閉を行うことなく、外側から前記他方の出力側光コネクタ部を前記一方の出力側光コネクタ部に、そして前記連結光ケーブルによって前記光ファイバ心線と接離可能にしたことを特徴とするスプリッタボックスを提供する。
【００１５】
上記スプリッタボックスは、前記一方の出力側光コネクタ部は、前記光分岐接続箱の内面底面に固定され、外方下方に向けて接離可能とされることを特徴とする。
上記スプリッタボックスは、前記一方の入力側光コネクタ部は、前記光分岐接続箱の内面側面に固定され、外方側方に向けて接離可能とされることを特徴とする。
上記スプリッタボックスは、前記光分岐接続箱は、上面部に、前記架空ケーブルを内包する方向に延びた窪みが形成され、内包された前記架空ケーブルを前記窪みに閉じ込める部材が設けられ、あるいは吊り金具が具備されて前記架空ケーブルに固定されるようにしたことを特徴とする。
【発明の効果】
【００１６】
本発明では、光分岐接続箱の予め定めた位置に出力側コネクタおよび入力側コネクタを設定すること、これらの出力側コネクタおよび入力側コネクタに一定の配置で出力側光ファイバおよび入力側光ファイバを接続しているので、装置を簡単にし、出力側コネクタおよび入力側コネクタの接続を光分岐接続箱の開閉することなく、外側から行うことができ、例えば架空光クロージャから加入者宅までの光配線工事を短時間、簡便に行うことができる。このため、今後需要が急増されると見込まれる光ブロードバンドサービスの普及に大いに貢献することができる。
【発明を実施するための最良の形態】
【００１７】
以下、本発明の実施例を図面に基づいて説明する。
【実施例】
【００１８】
図１は、本発明の実施例である光ファイバ配線系およびこの光ファイバ配線系に配設されるスプリッタボックスを示す図である。
図１において、局側（図示せず）と架空光クロージャを結ぶ形態で光ファイバ心線１が設けてある。図１においては、２本の光ファイバ心線１が図示してある。その１本の光ファイバ心線１は架空光クロージャ２に設けた心線接続部４によって連結光ケーブル５に接続される。従って、連結光ケーブル５は光ファイバ心線１の１部を形成する。連結光ケーブル５、すなわち分岐された光ファイバ心線に接続されて、架空光クロージャ２の後流側にスプリッタボックス３が設置される。６はドロップケーブルを示し、７を加入者宅を示し、８は加入者宅に設置する光キャビネットを示す。加入者宅に接続するとした場合に、加入者宅に設置する光キャビネット８に接続することを意味する。
【００１９】
スプリッタボックス３は、内部に単一の空間部１２を有する光分岐接続箱１１と、この単一の空間部１２に配設される光分岐部１３を有する。すなわち光分岐部１３は光分岐接続箱１１に適当な手段によって支持されて内蔵される。この光分岐部１３は入力側光ファイバ心線１４を複数の、例えば８本の出力側光ファイバ心線１５に分岐するものであり、分岐構造、分岐方法についてはよく知られている。
【００２０】
光分岐接続箱１１には、底面側に出力側光コネクタ２１が、そして側面側には入力側光コネクタ２４が形成される。出力側光コネクタ２１は、一方の出力側光コネクタ部となる光コネクタソケット２２（出力側光コネクタ）および他方の出力側光コネクタ部となる光コネクタプラグ２３（出力用の光コネクタ）によって構成され、入力側光コネクタ２４は、一方の入力側光コネクタ部となる光コネクタソケット２５および他方の入力側光コネクタ部となる光コネクタプラグ２６によって構成される。
【００２１】
出力側光コネクタソケット２２は、光分岐接続箱１１の内面であって底面（内面底面）に固定されて外方に（外側に）向けて接続可能とされる。すなわち、底部の外面から外方に向けて接続可能とされる。この場合、出力側光コネクタソケット２２を光分岐接続箱１１の外面に設けるようにしてもよい。以下、内面底面に設けた場合を例にとって説明する。
【００２２】
出力側光ファイバ心線１５は一方の端が出力側光コネクタソケット２２に接続され、他方の端が光分岐部１３に接続され、空間部１２内に一定の長さ、一定の配置で配設される。一定の配置とすることによって、工場内で接続配置され、現場で長さの調整、配置の調整を行う必要がなくなる。このように、一方の出力側光コネクタ部は、光分岐接続箱１１の内面底面に固定され、外方下方に向けて接離可能とされる。図１の場合、出力側光コネクタソケット２２は８個である。
【００２３】
この出力側光コネクタソケット２２に、外側下方から光コネクタプラグ２３が接続される。この光コネクタソケット２２には８個の光コネクタプラグ２３が接離可能であり、各光コネクタプラグ２３にはドロップケーブル６が接続される。すなわち、ドロップケーブル６の一端には光コネクタプラグ２３が接続され、他端には加入者宅７が接続される。ドロップケーブル６はその一部に光コネクタ２１によって接続された出力側光ファイバ心線１５が含まれる。入力側光コネクタソケット２５は、光分岐接続箱１１の内面であって側面（内面側面）に固定されて外方に（外側に）向けて接続可能とされる。すなわち側部から外方に向けて接続可能とされる。この場合、入力側光コネクタソケット２５を光分岐接続箱３の外面に設けてよいのは出力側光コネクタソケット２２の場合と同様である。入力側光ファイバ心線１４は一方の端が入力側光コネクタソケット２５に接続され、他方の端が光分岐部１３に接続され、空間部１２内に一定の長さ、一定の配置で配設される。すなわち、出力側光ファイバ心線１５と同様にして空間部１２内に配設される。一定の配置としているので、配設後は長さ、配置について調整の必要がない。このように、一方の入力側光コネクタ部は、光分岐接続箱１１の内面側面に固定され、外方側方に向けて接離可能とされる。図１の場合、入力側光コネクタソケット２５は１個である。
【００２４】
この入力側光コネクタソケット２５に、外側側方から光コネクタプラグ２６が接続される。この光コネクタソケット２５には１個の光コネクタプラグ２６が接続される。光コネクタプラグ２６には連結光ケーブル５が接続される。すなわち、連結光ケーブル５の一端には光コネクタプラグ２６が接続され、他端には架空光クロージャ２の心線接続部４が接続される。これによって局と接続されることになる。このように、架空光クロージャ２内で、架空ケーブルの光ファイバ心線１の１心を切断し、単心の連結光ケーブル５がスプリッタボックス３に接続される。
【００２５】
連結光ケーブル５の一端にはあらかじめ光コネクタプラグ２６が取り付けられているため、光コネクタソケット２５との接続を容易に行うことができる。なお、架空光ケーブルの光ファイバ心線としては、メカニカルプライス、または融着接続法、あるいは現地付け光コネクタによって、接続される。
【００２６】
このようにしてスプリッタボックス３を設置しておくことによって、光ブロードサービスを希望する近くの利用者宅には、出力側において、スプリッタボックス内面または外面の光コネクタソケット２２に光コネクタブラグ２３付きのドロップケーブル６を接続し、そこから配線することを行う。光コネクタプラグ２３を光コネクタソケット２２に外側から接続でき、また入力側においても光コネクタ２６を一定配置の光コネクタ２５に接続するようにしているため、スプリッタボックス３を全く開ける必要がなく、簡単に作業ができる。
【００２７】
ドロップケーブル６の加入者宅７側には、最近では家屋の外壁にキャビネット８と呼ばれる接続箱が設置されることが多くなっているので、メカニカルスプライス、または融着接続法、あるいは光コネクタでインドアケーブル６と接続することができる。従来と同様、電柱および家屋の双方で、引き留め金具によってドロップケーブル６の支持線を引き留めることにより、ドロップケーブル６に張力を加えた状態で配線することができる。
【００２８】
ドロップケーブル６の両端にあらかじめ光コネクタをつけておき、キャビネット８側でもコネクタ接続をすることにすれば、もっとも作業効率がよい。その場合、ドロップケーブル６の長さの調整はできないので、長さの違うものを数種類用意して、現地測定などで、適切な長さのものを選び、ケーブル余長ができるだけでないようにするのがよい。それでもケーブル余長は出ることになるが、それはキャビネット８か電柱で収容する工夫をすればよい。なお、現地づけ光コネクタを適用するなら、やや作業性は悪いものの、長さ調整が可能なため、余長を無くすことができる利点がある。
【００２９】
また、スプリッタボックス６の入力側光コネクタソケット２４への連結光ケーブル５の接続は、出力側光コネクタ２１の構成と同様構造とすることができる。なお、これらのケーブルと接続する光コネクタは風雨に直接さらされるため、防水構造にしておく。また接続していない場合でも内部に水やほこりが入らないよう、光コネクタソケット２２には防水性のふたをつけておく。
【００３０】
また、この実施例においては、スプリッタボックスの入力端子は入力側光コネクタ２４としたが、この入力側光コネクタ２４を設けず、スプリッタボックス内部から直接、連結光ケーブル５が出ている構造にしてもよい。この場合にあっても、連結光ケーブルについて、単一の空間部１２に一定の長さ、一定の配置で配設された入力側光ファイバ心線１４に一体的に接続されていることになる。一体的にとは、１本の光ケーブルとしての意味である。架空光クロージャの近傍にスプリッタを設置する場合には、連結に要するケーブル長は規定長にしてよいので、光コネクタが１セット省かれる分、物品コストが削減できる。また、この連結光ケーブル５の他の先端に、あらかじめ工場で光コネクタを付けておき、架空光クロージャ２内での引き落とし接続に使用するようにしてもよい。
【００３１】
一方、実施例のように入力側光コネクタ２５を入力側端子とし、連結光ケーブル５に光コネクタ２４によって接続する場合には、連結光ケーブル５の長さを工夫出来る。この結果、架空光クロージャ２から遠方まで、１心の連結光ケーブル５で８戸分の配線ができるため、自由度のある配線が必要な場合に経済的である。従来の架空の光配線でも、架空ケーブルを分岐して遠方まで少心を配線することが行われているが、架空光クロージャ内の光スプリッタの出力ファイルを延長して配線する形態であり、８心のケーブルで８戸分をまかなうものであるため光ケーブルのコストを高める要因の１つとなっている。本実施例は分岐接続箱３を設けてこの問題を解決する。
【００３２】
前述の実施例では、出力側コネクタ２２が工場付けであることを前提として説明した。これを、現地組立型コネクタにし、配線作業者が、現地、あるいは出発前に事務所で、スプリッタボックス内での光スプリッタ収容、コネクタ付けと配線作業をすることにしてもよい。この作業は、地上あるいは屋内で実施すればよいので、架空で行う場合と比べれば、作業性は十分高い。空き時間にこの組立て作業を行うことにすれば、スプリッタボックスを安価に入手できることになる。現在の現地組立型コネクタで、防水性を備えたものは知られていないが、カバーを工夫することで実用上の防水性を確保することは容易である。図２および図３は、スプリッタボックス３を下側から、および側方から見た外観図である。これらの図において、６０ｍｍ×９０ｍｍ×１８０ｍｍ程度の小型の筐体である光分岐接続箱１１に、８分岐の光スプリッタを１個実装している光導波路型である。図２において、光分岐接続箱１１の上面部には、吊り金具３１を取り付けてある。これは、吊線３２に取り付けるものである。吊線３２とは電柱間に張るワイヤであり、架空ケーブルを支持するのに利用する。あるいは、このスプリッタボックス３は軽量のため、架空ケーブル自体に吊り金具３１で固定し、ぶら下げることにしてもよい。
【００３３】
スプリッタボックス３の下方外面には入出力用の光コネクタ２１、２４が配置されており、出力用の光コネクタ２３には光コネクタ防水キャップ３３が取り付けてある。また、入力側光コネクタ２４には、光ファイバ１心を収容した連結光ケーブル５が取り付けてある。入出力用の光コネクタ２１、２４は防水構造の市販品を改造して使用することができる。ドロップケーブル６は、光コネクタ防水キャップ３３を外して、前述したように光コネクタ２２を光コネクタ２３につなぎ込むだけで、接続が終了する。
【００３４】
この実施例では、入出力用の光コネクタ２１、２４をスプリッタボックス３の底部に配置しているが、入力と出力の取り違えがないように、入力側光コネクタ２４と出力側光コネクタ２１を別な面に配置するようにしてもよい（図１参照）。
【００３５】
他の実施例を説明する。これまでの実施例では入力が光ファイバ心線１心であったが、これをテープ心線にするものである。テープ心線は、４心、８心が一般的であるが、架空ケーブル内のテープ心線に整合した４心テープが好ましい。連結光ケーブルは４心テープ心線が１本収容した構造とする。架空光クロージャ２内の接続は、メカニカルスプライス、融着接続、ＭＴコネクタで、テープ単位で一括に行う。スプリッタボックス３側では、連結光ケーブル５がスプリッタボックス３内部へ直通する構造の場合にはスプリッタボックス外面でのコネクタは不要であるが、独立したケーブルとする場合には、ＭＰＯコネクタなどの多心コネクタを使用する。
【００３６】
内部に収容する光分岐部１３を構成する光スプリッタには、１心入力用の光スプリッタ４個を使ってもよいが、８分岐の回路４つを１チップに加工した平面型光導波路を使用した、４心入力用の光スプリッタ１個を使うことができる。後者の方が、光スプリッタの収容および内部配線が容易になる。この光導波路技術は、局内側の光スプリッタで多用されている。この技術については下記の文献に詳しい。
【００３７】
堀江他、“ＦＴＴＨ向け所内光配線用品の開発”、工業技術研究誌「日立電線」、Ｎｏ．２５、ｐｐ．１−６、２００６年１月発行
４心入力用の光スプリッタを使う場合には、連結光ケーブル５内のテープ心線と、光スプリッタの入力側心線との接続は、多心融着接続などの一括接続で実施するのが好ましい。なお、この実施例では、８分岐の場合には、出力側コネクタが３２個必要になる、出力側コネクタを単一面に集中配置せずに分散させることにより、スプリッタボックス３の容積増加を軽減することは可能である。
【００３８】
また、これまで説明した実施例では、スプリッタボックス３の上方に、架空ケーブルを内包できる一方向に延びた窪みをつけ、架空ケーブルをその窪み内部に抱き込むように固定する部材を、スプリッタボックス３に取り付けるようにしてもよい。そうすれば、風圧による振り子運動が緩和される結果、コネクタ部分へ無理な力がかからなくなり、信頼性確保に効果がある。
【図面の簡単な説明】
【００３９】
【図１】本発明の実施例の概略構成を示す図。
【図２】スプリッタボックスを下側から見た外観図。
【図３】スプリッタボックスを上側から見た外観図。
【符号の説明】
【００４０】
１…光ファイバ心線、２…架空光クロージャ、３…スプリッタボックス、４…心線接続部、５…連結光ケーブル、６…ドロップケーブル、７…加入者宅、８…キャビネット、１１…光分岐接続箱、１２…単一の空間部、１３…光分岐部、１４…入力側光ファイバ心線、１５…出力側光ファイバ心線、２１…出力側光コネクタ、２２…光コネクタソケット（出力側の光コネクタ）、２３…光コネクタプラグ（光コネクタ）、２４…入力側光コネクタ、２５…光コネクタソケット、２６…光コネクタプラグ。
【図１】
2008129166.tif 000003
【図２】
2008129166.tif 000004
【図３】
2008129166.tif 000005